(57)【要約】      （修正有）【課題】折り畳み装置の応用範囲を拡大させ、市場で普及させやすく、簡単に折り畳んで収納することができる、携帯性良好な折り畳み装置を提供する。【解決手段】折り畳み式扇風機及びテーブルランプ等の電子機器又は小型電気機器を支持するためのベースと、一端が前記ベースに装着され、他端が電子機器又は小型電気機器に装着される伸縮機構であって、使用するとき、伸縮して支持高さを調整し、収納するとき、収縮して前記ベース内に収容することができる伸縮機構と、を備える。構造が簡単且つコンパクトであり、折り畳まれた電子製品の体積が小さくなり、占めるスペースを減少させるとともに、簡単に収納でき、持ち運びやすく、それによって、該折り畳み装置の応用範囲を拡大させ、簡単に折り畳んで収納することができ、携帯性が良好であり、折り畳み操作が簡単であり、包装材料及び包装の体積を減少させて、輸送コストを低減させるという利点を有する。【選択図】図１
2020118296.tif 000002
【特許請求の範囲】
【請求項１】
電子機器又は小型電気機器に適用される折り畳み装置であって、
前記電子機器又は小型電気機器を支持するためのベース（１）と、
一端が前記ベース（１）に装着され、他端が前記電子機器又は小型電気機器に装着される伸縮機構（２）であって、使用するとき、伸縮して支持高さを調整し、収納するとき、収縮して前記ベース（１）内に収容することができる伸縮機構（２）と、を備え、
前記ベース（１）には、収納溝（３）が設置され、前記伸縮機構（２）は、前記収納溝（３）に回動可能に取り付けられ、且つ前記伸縮機構（２）と前記収納溝（３）の間には、ロック機構（４）が設置され、前記伸縮機構（２）が使用されるとき、前記ロック機構（４）は、前記伸縮機構（２）と前記ベース（１）をロックし、前記伸縮機構（２）が収納されるとき、前記ロック機構（４）は、前記伸縮機構（２）と前記ベース（１）の間のロックを解除し、且つ、ロックが解除されると、前記伸縮機構（２）は、前記ベース（１）に対して反転して前記収納溝（３）に収納される、ことを特徴とする折り畳み装置。
【請求項２】
前記収納溝（３）は、前記ベース（１）の底面、及び／又は前記電子機器又は小型電気機器に設置され、前記伸縮機構（２）の一端であるヒンジ連結端は、前記収納溝（３）の一端にヒンジ連結され、前記伸縮機構（２）が収納されるとき、前記伸縮機構（２）は、前記ヒンジ連結端の周りに、前記ベース（１）の上側で作動する状態から反転して前記ベース（１）の底面の前記収納溝（３）に収納され、又は
前記収納溝（３）は、前記ベース（１）の天面、及び／又は前記電子機器又は小型電気機器に設置され、前記伸縮機構（２）の一端であるヒンジ連結端は、前記収納溝（３）の一端にヒンジ連結され、前記伸縮機構（２）が収納されるとき、前記伸縮機構（２）は、前記ヒンジ連結端の周りに、前記ベース（１）の上側で作動する状態から反転して前記ベース（１）の天面の前記収納溝（３）に収納されることを特徴とする請求項１に記載の折り畳み装置。
【請求項３】
前記伸縮機構（２）は、
前記ヒンジ連結端が前記ベース（１）に回動可能に装着されたインナースリーブ（５）と、
固定端が前記インナースリーブ（５）内に套設されて前記インナースリーブ（５）に固定して装着され、伸縮端が前記電子機器又は小型電気機器に装着された伸縮ロッドと、を備えることを特徴とする請求項２に記載の折り畳み装置。
【請求項４】
前記インナースリーブ（５）の前記ヒンジ連結端の両側がそれぞれ外へ延びて回動軸（１１）を形成し、２つの前記回動軸（１１）は、同一軸線上に設けられ、
前記ベース（１）には、収容スペース（９）が設置され、前記収容スペース（９）の一側の内壁面には、取り付けボス（１０）が設けられ、前記取り付けボス（１０）の２つの前記回動軸（１１）に対応する位置に、それぞれ取り付け軸孔（２５）が設けられ、前記取り付け軸孔（２５）のサイズが２つの前記回動軸（１１）のサイズに適合しており、２つの前記回動軸（１１）がそれぞれ前記取り付け軸孔（２５）に挿着され、それにより前記インナースリーブ（５）が前記回動軸（１１）を介して前記取り付けボス（１０）に回動可能に取り付けられることを特徴とする請求項３に記載の折り畳み装置。
【請求項５】
前記回動軸（１１）の外周には、摩擦力を増大するための減衰ガスケット（１２）がさらに套設され、前記減衰ガスケット（１２）は、前記回動軸（１１）と前記取り付けボス（１０）の前記取り付け軸孔（２５）との間に介在していることを特徴とする請求項４に記載の折り畳み装置。
【請求項６】
前記ロック機構（４）は、
前記インナースリーブ（５）に外嵌され、前記インナースリーブ（５）に対して回動することで、前記インナースリーブ（５）と前記ベース（１）をロック又はロック解除するアウタースリーブ（７）と、
前記インナースリーブ（５）と前記アウタースリーブ（７）との間に設置され、前記インナースリーブ（５）上を移動するように前記アウタースリーブ（７）を制限する制限構造（１３）と、を備えることを特徴とする請求項４に記載の折り畳み装置。
【請求項７】
前記アウタースリーブ（７）と前記ベース（１）との間には、前記アウタースリーブ（７）と前記ベース（１）とのロック面積を増大して前記伸縮ロッドの安定性を高めるためのロック部材（６）が設置され、
前記アウタースリーブ（７）が前記インナースリーブ（５）に対して回転しながら前記ベース（１）に近づくとき、前記アウタースリーブ（７）は、前記ロック部材（６）を前記ベース（１）に押し締めて前記インナースリーブ（５）をロックし、
前記アウタースリーブ（７）が前記インナースリーブ（５）に対して回転しながら前記ベース（１）から離れるとき、前記アウタースリーブ（７）は、前記ロック部材（６）に対する押し締めを解除して前記インナースリーブ（５）に対するロックを解除することを特徴とする請求項６に記載の折り畳み装置。
【請求項８】
前記インナースリーブ（５）の外面には、雄ネジ（８）が設けられ、前記アウタースリーブ（７）の内面には、対応する雌ネジが設けられ、前記アウタースリーブ（７）は、前記インナースリーブ（５）と嵌合するネジ構造によって前記インナースリーブ（５）にロックして固定できることを特徴とする請求項７に記載の折り畳み装置。
【請求項９】
前記制限構造（１３）は、
前記インナースリーブ（５）の前記ヒンジ連結端から離れた一側に套設され、前記インナースリーブ（５）に係着され、かつ開口（１６）が設置された締め付けリング（１４）と、
一部が前記締め付けリング（１４）の前記開口（１６）を貫通して前記インナースリーブ（５）に差し込まれ、残りの部分が前記締め付けリング（１４）に係着されたロックリング（１５）と、を備えることを特徴とする請求項８に記載の折り畳み装置。
【請求項１０】
前記ロック機構（４）は、固定ヘッド（２８）、固定シート（２９）、調整シート（３１）及び調整ボルト（３０）を備え、
前記回動軸（１１）には、装着室（３２）が設置され、前記固定ヘッド（２８）は、前記装着室（３２）内に固定して装着され、且つ前記固定ヘッド（２８）は、前記回動軸（１１）とともに同期移動でき、
前記固定シート（２９）の一端は、前記ベース（１）に固定して取り付けられ、
前記調整シート（３１）は、前記固定シート（２９）と前記固定ヘッド（２８）との間、及び／又は、前記固定シート（２９）と前記調整ボルト（３０）との間に設置され、
前記調整ボルト（３０）は、前記調整シート（３１）と前記固定シート（２９）を貫通して前記固定ヘッド（２８）に装着され、前記固定シート（２９）と前記固定ヘッド（２８）との間の摩擦力を調整することに用いられることを特徴とする請求項４に記載の折り畳み装置。
【請求項１１】
前記ベース（１）は、トップケース及びボトムカバーを備え、前記ボトムカバーは、前記トップケースに装着され、前記ヒンジ連結端には、挿入スロット（１８）が設置され、前記ロック機構（４）は、前記ベース（１）に設置され且つ差し込み端が前記ベース（１）に対してスライド可能な差し込みユニット（４７）であり、前記差し込みユニット（４７）は、前記挿入スロット（１８）と嵌合して前記ヒンジ連結端を固定し、さらに前記伸縮ロッドと前記ベース（１）を相対的に固定し、前記挿入スロット（１８）は、前記回動軸（１１）に設置され、
前記差し込みユニット（４７）は、
前記トップケースに固定して装着された固定ブロック（４９）と、
前記ボトムカバーに取り付けられかつ前記ボトムカバーの前記回動軸（１１）に近い一側に位置し、前記ボトムカバーに対してスライドすることで前記挿入スロット（１８）に対して差し込み又は分離可能な差し込み板（５０）と、
前記トップケースを貫通して前記差し込み板（５０）に固定して装着され、前記差し込み板（５０）を前記挿入スロット（１８）に対して分離又は挿着するように駆動するための押しブロック（５１）と、
前記固定ブロック（４９）と前記差し込み板（５０）との間に設置され、前記差し込み板（５０）を復位させるために回復力を提供するための弾性部材（５２）と、を備えることを特徴とする請求項４に記載の折り畳み装置。
【請求項１２】
折り畳み式扇風機であって、
請求項１−１１のいずれか１項に記載の折り畳み装置と、
前記折り畳み装置の前記ベース（１）から離れた一側に設置される扇風機本体（３３）と、
一端が前記扇風機本体（３３）に装着され、他端が前記折り畳み装置の前記ベース（１）から離れた一側に装着された反転ロック機構（３４）と、を備え、
前記扇風機本体（３３）が使用されるとき、前記反転ロック機構（３４）は、前記扇風機本体（３３）と前記折り畳み装置を相対的にロック可能にし、又は、前記扇風機本体が収納されるとき、前記反転ロック機構（３４）は、前記扇風機本体（３３）と前記折り畳み装置を相対的に回動可能にすることを特徴とする折り畳み式扇風機。
【請求項１３】
前記反転ロック機構（３４）は、
前記扇風機本体（３３）に固定して取り付けられる第１の接続ベース（４０）と、
前記伸縮ロック機構（４）の前記ベース（１）から離れた一側に固定して取り付けられ、前記第１の接続ベース（４０）に装着される第１の雲台ヘッド（４１）と、
一端が前記第１の接続ベース（４０）に装着され、他端が前記第１の雲台ヘッド（４１）に装着され、前記第１の雲台ヘッド（４１）と前記第１の接続ベース（４０）を回動可能に装着するヒンジ部材（４２）と、
前記ヒンジ部材（４２）と前記第１の雲台ヘッド（４１）の間に設置された減衰ゴムリング（４３）と、を備えることを特徴とする請求項１２に記載の折り畳み式扇風機。
【請求項１４】
前記第１の接続ベース（４０）には、「匚」型構造のノッチ（４４）が設置され、前記ヒンジ部材（４２）は、２つ設けられ、２つの前記ヒンジ部材（４２）は、それぞれ前記ノッチ（４４）の対向する内壁面に取り付けられ、前記第１の雲台ヘッド（４１）は、一端が環状であり、２つの前記ヒンジ部材（４２）の間にヒンジ連結され、他端が前記伸縮ロック機構（４）に固定して装着され、前記扇風機本体（３３）が収納されるとき、前記扇風機本体（３３）は、前記第１の雲台ヘッド（４１）を介して前記伸縮ロック機構（４）に対して反転して折り畳むことができることを特徴とする請求項１３に記載の折り畳み式扇風機。
【請求項１５】
折り畳み式テーブルランプであって、
請求項１−１１のいずれか１項に記載の折り畳み装置と、
前記折り畳み装置の一側に設置され、前記折り畳み装置の一側に折り畳んで収納可能なテーブルランプ本体（５８）と、
一端が前記テーブルランプ本体（５８）に装着され、他端が前記折り畳み装置に装着された反転ロック機構（３４）と、を備え、
前記テーブルランプ本体（５８）が使用されるとき、前記反転ロック機構（３４）は、前記折り畳み装置と前記テーブルランプ本体（５８）を相対的にロック可能にし、又は、前記テーブルランプ本体（５８）が収納されるとき、前記反転ロック機構（３４）は、前記テーブルランプ本体（５８）と前記折り畳み装置を回動可能にすることを特徴とする折り畳み式テーブルランプ。
【請求項１６】
前記反転ロック機構（３４）は、前記テーブルランプ本体（５８）の前記折り畳み装置に近い一側に設置され、
取り付けキャビティと取り付けギャップ（６３）が設置された第２の接続ベース（５９）と、
前記折り畳み装置の前記伸縮機構（２）に設置され、前記伸縮機構（２）の伸縮ロッドに固定して装着され、前記伸縮ロッドの軸線方向に沿って、円形孔（６４）が設置された取り付けベース（６０）と、
一端が前記円形孔（６４）内に差し込まれ、前記伸縮ロッドに対して減衰回転可能であり、他端が前記取り付けギャップ（６３）内に差し込まれ、前記第２の接続ベース（５９）に対して減衰回転可能である第２の雲台ヘッド（７５）と、
前記取り付けキャビティ内に設置され、前記第２の雲台ヘッド（７５）に減衰装着された取り付けチャック（６１）と、
前記取り付けキャビティ内に挿入され、前記取り付けチャック（６１）を固定して電線を保護する詰め合いブロック（６２）と、を備えることを特徴とする請求項１５に記載の折り畳み式テーブルランプ。
【請求項１７】
前記円形孔（６４）は、前記第２の雲台ヘッド（７５）が減衰装着されるためのものであり、前記円形孔（６４）には第１の制限ブロック（６５）が設置され、前記第２の雲台ヘッド（７５）の、前記円形孔（６４）に近い一側には、前記第１の制限ブロック（６５）に装着される制限リング（６６）が設置され、前記制限リング（６６）には前記第１の制限ブロック（６５）と嵌合するための逃がし溝が設置され、
前記制限リング（６６）の内側リングには制限ボスが突出して設置され、前記第２の雲台ヘッド（７５）には、前記制限ボスと嵌合して、前記第２の雲台ヘッド（７５）と前記制限リング（６６）との制限を実現するための第２の制限ブロックが設置され、
前記第２の雲台ヘッド（７５）が前記伸縮ロッドに対して回転するとき、前記第１の制限ブロック（６５）と前記制限リング（６６）との嵌合、及び第２の制限ブロックと前記制限ボスとの嵌合により、前記第２の雲台ヘッド（７５）の過度回転を効果的に防止して、前記伸縮ロッド内に取り付けられたスプリングワイヤを保護することができることを特徴とする請求項１６に記載の折り畳み式テーブルランプ。
【発明の詳細な説明】
【技術分野】
【０００１】
本発明は、折り畳み装置の技術分野に関し、具体的には、折り畳み装置、及びそれを用いた折り畳み式扇風機及び折り畳み式テーブルランプに関する。
【背景技術】
【０００２】
現在、さまざまな電子製品（たとえば、扇風機、電気スタンド、フィルインライトなど）が市販されており、体積が大きいため、包装や輸送が不便である電子製品があり、一方、占めるスペースを減少させて持ち運びやすくするために使用中に折り畳んで収納することを必要とする製品があり、このため、折り畳み装置は、上記製品を折り畳んで収納するような機能を実現できる。
【０００３】
しかしながら、従来技術における折り畳み装置は、簡単に折り畳むことしかできず、機能が単一であり、適用範囲が限られ、伸縮・収納機能を有する折り畳み装置が求められる。
【発明の概要】
【０００４】
本発明の第１目的は、従来技術の欠陥及び不備に対して、構造が簡単且つコンパクトであり、主に折り畳んで収納する必要がある電子製品又は小型電気機器に適用され、折り畳まれた電子製品の体積が小さくなり、占めるスペースを減少させるとともに、簡単に収納でき、持ち運びやすく、それによって、該折り畳み装置の応用範囲を拡大させ、市場で普及させやすくし、簡単に折り畳んで収納することができ、携帯性が良好であり、折り畳み操作が簡単であり、包装材料及び包装の体積を減少させて、輸送コストを低減させるという利点を有する、折り畳み装置を提供することである。
【０００５】
上記目的を達成させるために、本発明は、下記技術案を採用する。
【０００６】
電子機器又は小型電気機器に適用される折り畳み装置であって、
電子機器又は小型電気機器を支持するためのベースと、
一端が前記ベースに装着され、他端が電子機器又は小型電気機器に装着される伸縮機構であって、使用するとき、伸縮して支持高さを調整し、収納するとき、収縮して前記ベース内に収容することができる伸縮機構と、を備え、
前記ベースには、収納溝が設置され、前記伸縮機構は、前記収納溝に回動可能に取り付けられ、且つ前記伸縮機構と前記収納溝の間には、ロック機構が設置され、前記伸縮機構が使用されるとき、前記ロック機構は、前記伸縮機構と前記ベースをロックし、前記伸縮機構が収納されるとき、前記ロック機構は、前記伸縮機構と前記ベースの間のロックを解除し、且つ、ロックが解除されると、前記伸縮機構は、前記ベースに対して反転して前記収納溝に収納される。
【０００７】
前記収納溝は、前記ベースの底面、及び／又は前記電子機器又は小型電気機器に設置され、前記伸縮機構の一端であるヒンジ連結端は、前記収納溝（３）の一端にヒンジ連結され、前記伸縮機構が収納されるとき、前記伸縮機構は、前記ヒンジ連結端の周りに、ベースの上側で作動する状態から反転してベースの底面の収納溝に収納され、又は
前記収納溝は、前記ベースの天面、及び／又は前記電子機器又は小型電気機器に設置され、前記伸縮機構の一端であるヒンジ連結端は、前記収納溝（３）の一端にヒンジ連結され、前記伸縮機構が収納されるとき、前記伸縮機構は、前記ヒンジ連結端の周りに、ベースの上側で作動する状態から反転してベースの天面の収納溝に収納される。
【０００８】
前記伸縮機構は、
ヒンジ連結端が前記ベースに回動可能に装着されたインナースリーブと、
固定端が前記インナースリーブ内に套設されて前記インナースリーブに固定して装着され、伸縮端が電子機器又は小型電気機器に装着された伸縮ロッドと、を備える。
【０００９】
前記インナースリーブのヒンジ連結端の両側がそれぞれ外へ延びて回動軸を形成し、２つの前記回動軸は、同一軸線上に設けられ、
前記ベースには、収容スペースが設置され、前記収容スペースの一側の内壁面には、取り付けボスが設けられ、前記取り付けボスの２つの前記回動軸に対応する位置に、それぞれ取り付け軸孔が設けられ、前記取り付け軸孔のサイズが２つの前記回動軸のサイズに適合しており、２つの前記回動軸がそれぞれ前記取り付け軸孔に挿着され、それにより前記インナースリーブが前記回動軸を介して前記取り付けボスに回動可能に取り付けられる。
【００１０】
前記回動軸の外周には、摩擦力を増大するための減衰ガスケットがさらに套設され、前記減衰ガスケットは、前記回動軸と前記取り付けボスの取り付け軸孔との間に介在している。
【００１１】
前記ロック機構は、
前記インナースリーブに外嵌され、前記インナースリーブに対して回動することで、前記インナースリーブと前記ベースをロック又はロック解除するアウタースリーブと、
前記インナースリーブと前記アウタースリーブとの間に設置され、前記インナースリーブ上を移動するように前記アウタースリーブを制限する制限構造と、を備える。
【００１２】
前記アウタースリーブと前記ベースとの間には、前記アウタースリーブと前記ベースとのロック面積を増大して前記伸縮ロッドの安定性を高めるためのロック部材が設置され、
前記アウタースリーブが前記インナースリーブに対して回転しながら前記ベースに近づくとき、前記アウタースリーブは、前記ロック部材を前記ベースに押し締めて前記インナースリーブをロックし、
前記アウタースリーブが前記インナースリーブに対して回転しながら前記ベースから離れるとき、前記アウタースリーブは、前記ロック部材に対する押し締めを解除して前記インナースリーブに対するロックを解除する。  
【００１３】
前記インナースリーブの外面には、雄ネジが設けられ、前記アウタースリーブの内面には、対応する雌ネジが設けられ、前記アウタースリーブは、前記インナースリーブと嵌合するネジ構造によって前記インナースリーブにロックして固定できる。
【００１４】
前記アウタースリーブと前記伸縮ロッドの間に制限構造が設置され、
前記制限構造は、
前記インナースリーブのヒンジ連結端から離れた一側に套設され、前記インナースリーブに係着され、かつ開口が設置された締め付けリングと、
一部が前記締め付けリングの開口を貫通して前記インナースリーブに差し込まれ、残りの部分が前記締め付けリングに係着されたロックリングと、を備える。
【００１５】
前記ロック機構は、
固定ヘッド、固定シート、調整シート及び調整ボルトを備え、
前記回動軸には、装着室が設置され、前記固定ヘッドは、前記装着室内に固定して装着され、且つ前記固定ヘッドは、前記回動軸とともに同期移動でき、
前記固定シートの一端は、前記ベースに固定して取り付けられ、
前記調整シートは、前記固定シートと前記固定ヘッドとの間、及び／又は、前記固定シートと前記調整ボルトとの間に設置され、
前記調整ボルトは、前記調整シートと前記固定シートを貫通して前記固定ヘッドに装着され、前記固定シートと前記固定ヘッドとの間の摩擦力を調整することに用いられる。
【００１６】
上記技術案によれば、本発明の有益な効果は、以下のとおりである。該折り畳み装置の伸縮機構は、使用するとき、卓上製品とフロア製品の両方の異なる支持高さのニーズを満たすため、支持高さを自由に調整することができる。収納するとき、収縮してベースに収納され、それによって、折り畳みを実現し、当該折り畳み装置は、ロック機構が使用される場合、伸縮機構の安定的なロックを保証することができる。本発明は、構造が簡単且つコンパクトであり、且つ主に折り畳んで収納する必要がある電子製品又は小型電気機器に適用され、折り畳まれた電子製品の体積が小さくなり、占めるスペースを減少させるとともに、簡単に収納でき、持ち運びやすく、それによって、該折り畳み装置の応用範囲を拡大させ、市場で普及させやすくし、簡単に折り畳んで収納することができ、携帯性が良好であり、折り畳み操作が簡単であるという利点を有する。
【００１７】
本発明の第２目的は、従来技術の欠陥及び不備に対して、構造のスペースがコンパクトであり、扇風機本体の多角度調整が可能であり、また容易に折り畳んで収納することができ、折り畳まれた後の体積が小さくなり、送風角度の調整性が良好であり、簡単に折り畳んで収納することができ、携帯性が良好であるという利点を有する、折り畳み式扇風機を提供することである。
【００１８】
上記目的を達成させるために、本発明は、下記技術案を採用する。
【００１９】
折り畳み式扇風機であって、
前記の折り畳み装置と、
前記折り畳み装置の前記ベースから離れた一側に設置される扇風機本体と、
一端が前記扇風機本体に装着され、他端が前記折り畳み装置の前記ベースから離れた一側に装着された反転ロック機構と、を備え、
前記扇風機本体が使用されるとき、前記反転ロック機構は、前記扇風機本体と前記折り畳み装置を相対的にロック可能にし、又は、前記扇風機本体が収納されるとき、前記反転ロック機構は、前記扇風機本体と前記折り畳み装置を相対的に回動可能にする。
【００２０】
前記反転ロック機構は、
前記扇風機本体に固定して取り付けられる第１の接続ベースと、
前記伸縮ロック機構の前記ベースから離れた一側に固定して取り付けられ、前記第１の接続ベースに装着される第１の雲台ヘッドと、
一端が前記第１の接続ベースに装着され、他端が前記第１の雲台ヘッドに装着され、前記第１の雲台ヘッドと前記第１の接続ベースを回動可能に装着するヒンジ部材と、
前記ヒンジ部材と前記第１の雲台ヘッドの間に設置された減衰ゴムリングと、を備える。
【００２１】
前記第１の接続ベースには、「匚」型構造のノッチが設置され、前記ヒンジ部材は、２つ設けられ、２つの前記ヒンジ部材は、それぞれ前記ノッチの対向する内壁面に取り付けられ、前記第１の雲台ヘッドは、一端が環状であり、２つの前記ヒンジ部材の間にヒンジ連結され、他端が前記伸縮ロック機構に固定して装着され、前記扇風機本体が収納されるとき、前記扇風機本体は、前記第１の雲台ヘッドを介して前記伸縮ロック機構に対して反転して折り畳むことができる。
【００２２】
上記技術案によれば、本発明の有益な効果は、以下のとおりである。扇風機本体に反転ロック機構が設けられることによって、扇風機本体は、反転ロック機構を介して反転折り畳み及び多角度調整の機能を実現できる。さらに、この扇風機本体に伸縮ロック機構がさらに接続されるので、伸縮ロック機構により伸縮ロックの機能を実現できる。本発明は、構造が簡単且つコンパクトであり、扇風機本体を反転ロック機構及び伸縮ロック機構を介して折り畳んでベース内に収容することができ、折り畳まれた扇風機の体積が小さくなり、占めるスペースを減少させるとともに、簡単に収納でき、持ち運びやすくなる。
【００２３】
本発明の第３目的は、従来技術の欠陥及び不備に対して、構造空間がコンパクトであり、テーブルランプ本体の多角度調整が可能であり、また容易に折り畳んで収納することができ、折り畳まれた後の体積が小さくなり、照明方位の調整性が良好であり、簡単に折り畳んで収納することができ、携帯性が良好であるという利点を有する、折り畳み式テーブルランプを提供することである。
【００２４】
上記目的を達成させるために、本発明は、下記技術案を採用する。
【００２５】
折り畳み式テーブルランプであって、
前記の折り畳み装置と、
前記折り畳み装置の一側に設置され、前記折り畳み装置の一側に折り畳んで収納可能なテーブルランプ本体と、
一端が前記テーブルランプ本体に装着され、他端が前記伸縮端に装着された反転ロック機構と、を備え、
前記テーブルランプ本体が使用されるとき、前記反転ロック機構は、前記伸縮端と前記テーブルランプ本体を相対的にロック可能にし、又は、前記テーブルランプ本体が収納されるとき、前記反転ロック機構は、前記テーブルランプ本体と前記伸縮端を回動可能にする。
【００２６】
前記反転ロック機構は、前記テーブルランプ本体の前記伸縮ロッドに近い一側に設置され、取り付けキャビティと取り付けギャップが設置された第２の接続ベースと、
前記伸縮ロッドの伸縮端に設置され、前記伸縮ロッドに固定して装着され、前記伸縮ロッドの軸線方向に沿って、円形孔が設置された取り付けベースと、
一端が前記円形孔内に差し込まれ、前記伸縮ロッドに対して減衰回転可能であり、他端が前記取り付けギャップ内に差し込まれ、前記第２の接続ベースに対して減衰回転可能である第２の雲台ヘッドと、
前記取り付けキャビティ内に設置され、前記第２の雲台ヘッドに減衰装着された取り付けチャックと、
前記取り付けキャビティ内に挿入され、前記取り付けチャックを固定して電線を保護する詰め合いブロックと、を備える。
【００２７】
前記円形孔は、前記第２の雲台ヘッドが減衰装着されるためのものであり、前記円形孔には第１の制限ブロックが設置され、前記第２の雲台ヘッドの、前記円形孔に近い一側には、前記第１の制限ブロックに装着される制限リングが設置され、前記制限リングには前記第１の制限ブロックと嵌合するための逃がし溝が設置され、
前記制限リングの内側リングには制限ボスが突出して設置され、前記第２の雲台ヘッドには、前記制限ボスと嵌合して、前記第２の雲台ヘッドと前記制限リングとの制限を実現するための第２の制限ブロックが設置され、
前記第２の雲台ヘッドが前記伸縮ロッドに対して回転するとき、前記第１の制限ブロックと前記制限リングとの嵌合、及び第２の制限ブロックと制限ボスとの嵌合により、前記第２の雲台ヘッドの過度回転を効果的に防止して、前記伸縮ロッド内に取り付けられたスプリングワイヤを保護することができる。
【００２８】
上記技術案によれば、本発明の有益な効果は、以下のとおりである。テーブルランプ本体に反転ロック機構が設けられることによって、テーブルランプ本体は、反転ロック機構を介して反転折り畳み及び照明方向の多方位調整の機能を実現し、テーブルランプ本体の調整範囲を大幅に改善することができる。テーブルランプ本体の調整が簡単であり、調整感が良く、調整範囲が広く、調整方法が様々であり、調整後の安定性が高いという利点を有する。さらに、このテーブルランプ本体に伸縮ロック機構がさらに接続されるので、伸縮ロック機構により伸縮ロックの機能を実現できる。本発明は、構造が簡単且つコンパクトであり、テーブルランプ本体を反転ロック機構及び伸縮ロック機構を介して折り畳んでベース内に収容することができ、折り畳まれたテーブルランプの体積が小さくなり、占めるスペースを減少させるとともに、簡単に収納でき、持ち運びやすくなる。
【図面の簡単な説明】
【００２９】
本発明の実施例又は従来技術の技術案をより明瞭に説明するために、以下、実施例又は従来技術の説明に必要な図面について簡単に説明するが、明らかなように、以下の説明における図面は、本発明の実施例の一部に過ぎず、当業者であれば、創造的な努力を必要とせずに、これらの図面に基づいてほかの図面を想到しうる。
【図１】実施例１の第１全体構造模式図である。
【図２】実施例１の第２全体構造模式図である。
【図３】実施例１の全体構造の分解図である。
【図４】図３における細部Ａに対応する部分拡大図である。
【図５】実施例１においてベースを取り外したときの分解図である。
【図６】実施例２の全体構造模式図である。
【図７】実施例２の分解図である。
【図８】実施例３の全体構造模式図である。
【図９】実施例３の分解図である。
【図１０】図９における細部Ｂに対応する部分拡大図である。
【図１１】実施例３の全体構造模式図である。
【図１２】実施例３の分解図である。
【図１３】実施例４の全体構造模式図である。
【図１４】実施例６の第１全体構造模式図である。
【図１５】実施例６の全体構造の分解図である。
【図１６】図１５における細部Ｃに対応する拡大図である。
【図１７】実施例６の第２全体構造模式図である。
【図１８】図１７における細部Ｄに対応する拡大図である。
【発明を実施するための形態】
【００３０】
以下、図面を参照しながら本発明をさらに詳細に説明する。
【００３１】
これらの具体的な実施例は、本発明を説明するものに過ぎず、本発明を制限するものではなく、当業者が本明細書を読んだ上、必要に応じて本実施例について進歩性のない変更をすることができ、本発明の特許請求の範囲内であれば、特許法により保護される。
【００３２】
実施例１
本実施例は、伸縮・収納機能を有する折り畳み装置に関し、主に電子機器又は小型電気機器（たとえば、扇風機、電気スタンドなど）に適用される。図１−５に示すように、該折り畳み装置は、ベース１、及び伸縮機構２を備える。
【００３３】
ベース１は、電子機器又は小型電気機器を支持する。伸縮機構２は、一端がベース１に装着され、他端が電子機器又は小型電気機器に装着される。使用するとき、伸縮機構２は、伸縮して支持高さを調整し、収納するとき、伸縮機構２は、収縮してベース１内に収容することができる。
【００３４】
なお、図１−５に示すように、ベース１には、収納溝３が設置され、伸縮機構２は、収納溝３に回動可能に取り付けられ、且つ伸縮機構２と収納溝３の間には、ロック機構４が設置される。伸縮機構２が使用されるとき、ロック機構４は、伸縮機構２とベース１をロックし、伸縮機構２が収納されるとき、ロック機構４は、伸縮機構２とベース１の間のロックを解除し、且つ、ロックが解除されると、伸縮機構２は、ベース１に対して反転して収納溝３に収納される。他の実施例では、収納溝３は電子機器又は小型電気機器（図１３に示すように）に設置され、又は、収納溝３は、一方の部分がベース１に設置され、他方の部分が電子機器又は小型電気機器に設置される。
【００３５】
さらに、図１−５に示すように、伸縮機構２は、インナースリーブ５、及び伸縮ロッドを備える。インナースリーブ５のヒンジ連結端は、ベース１に回動可能に装着される。伸縮ロッドの固定端は、インナースリーブ５内に套設され、且つインナースリーブ５に固定して装着される。伸縮ロッドの伸縮端は、電子機器又は小型電気機器に装着される。
【００３６】
具体的には、インナースリーブ５のヒンジ連結端の両側がそれぞれ外へ延びて回動軸１１を形成し、２つの回動軸１１は、同一軸線上に設けられる。ベース１には、収容スペース９が設置され、収容スペース９の一側の内壁面には、取り付けボス１０が設けられ、取り付けボス１０の２つの回動軸１１に対応する位置に、それぞれ取り付け軸孔２５が設けられる。取り付け軸孔２５のサイズが２つの回動軸１１のサイズに適合しており、２つの回動軸１１がそれぞれ取り付け軸孔２５に挿着され、それによりインナースリーブ５が回動軸１１を介して取り付けボス１０に回動可能に取り付けられる。
【００３７】
ロック機構４は、ロック部材６、アウタースリーブ７及び制限構造１３を備える。アウタースリーブ７は、インナースリーブ５に外嵌され、インナースリーブ５に対して回動することで、インナースリーブ５とベース１をロック又は解ロックする。制限構造１３は、インナースリーブ５とアウタースリーブ７との間に設置され、インナースリーブ５上を移動するようにアウタースリーブ７を制限する。ロック部材６は、インナースリーブ５に套設され、かつインナースリーブ５のヒンジ連結端に位置する。
【００３８】
なお、アウタースリーブ７がインナースリーブ５に対して回転しながらベース１に近づくとき、アウタースリーブ７は、ロック部材６をベース１に押し締めてインナースリーブ５をロックし、アウタースリーブ７がインナースリーブ５に対して回転しながらベース１から離れるとき、アウタースリーブ７は、ロック部材６に対する押し締めを解除してインナースリーブ５に対するロックを解除する。
【００３９】
具体的には、図１−５に示すように、インナースリーブ５の外面には、雄ネジ８が設けられ、アウタースリーブ７の内面には、対応する雌ネジが設けられる。アウタースリーブ７は、インナースリーブ５と嵌合するネジ構造によってインナースリーブ５にロックして固定できる。インナースリーブ５にロック部材６が套設されるため、ロック部材６が取り付けボス１０に締め付けられるようにアウタースリーブ７により駆動されるとき、アウタースリーブ７、インナースリーブ５及び伸縮ロッドは、すべてベース１に対して固定される。
【００４０】
好ましくは、図１−５に示すように、回動軸１１の外周には、摩擦力を増大するための減衰ガスケット１２がさらに套設され、減衰ガスケット１２は、回動軸１１と取り付けボス１０の取り付け軸孔２５との間に介在している。
【００４１】
図１−５に示すように、制限構造１３は、締め付けリング１４、及びロックリング１５を備える。締め付けリング１４は、インナースリーブ５のヒンジ連結端から離れた一側に套設され、締め付けリング１４は、インナースリーブ５に係着され、且つ開口１６が設置される。ロックリング１５は、一部が締め付けリング１４の開口１６を貫通してインナースリーブ５に差し込まれ、残りの部分が締め付けリング１４に係着される。
【００４２】
具体的には、図１−５に示すように、インナースリーブ５の上端には、第１ロック孔１７及び挿入スロット１８が設置され、また、締め付けリング１４には、第１ロックブロック１９が設置される。締め付けリング１４とインナースリーブ５を装着するとき、第１ロックブロック１９と第１ロック孔１７を装着することによって、締め付けリング１４とインナースリーブ５の装着が実現される。締め付けリング１４には、第２ロック孔２０が設置され、また、ロックリング１５の内壁には、第２ロックブロック２１及び挿入ブロック２２が凸設される。ロックリング１５と締め付けリング１４を装着するときに、まず、挿入ブロック２２が開口１６を貫通して、次に第２ロックブロック２１が第２ロック孔２０と嵌合し、それによって、ロックリング１５と締め付けリング１４の装着が実現される。
【００４３】
好ましくは、図１−５に示すように、伸縮ロッドには、弧状凹溝２３が設置され、ロックリング１５には、弧状突起２４が設置され、弧状突起２４と弧状凹溝２３が嵌合することによって、伸縮ロッドとロックリング１５が締り嵌めし、ロックリング１５が締め付けリング１４を介してインナースリーブ５と締り嵌めするため、伸縮ロッドとインナースリーブ５が緊密に装着されることが実現される。
【００４４】
本実施例の作動原理は、概ね次の通りである。該折り畳み装置を展開するとき、まず、外力で斜め上方へ伸縮ロッドを引いて、伸縮ロッドでインナースリーブ５、アウタースリーブ７、制限構造１３及びロック部材を回動軸１１の周りに、上へ反転するように駆動し、伸縮ロッドとベース１が垂直になった後、アウタースリーブ７を回動して、アウタースリーブ７によりロック部材６を取り付けボス１０に押し締めるように駆動し、それによって、伸縮ロッドを垂直位置にロックし、折り畳み装置の展開を完了し、簡単に折り畳んで収納することができ、携帯性が良好であり、折り畳み操作が簡単であり、包装材料及び包装の体積を減少させて、輸送コストを低減させるという利点を有する。
【００４５】
実施例２
本実施例と実施例１との主な相違点として、図６、７に示すように、本実施例では、ロック機構４は、固定ヘッド２８、固定シート２９、調整ボルト３０及び調整シート３１を備える。回動軸１１には、装着室３２が設置され、固定ヘッド２８は、装着室３２内に固定して装着され、且つ回動軸１１とともに同期移動できる。固定シート２９の一端は、ベース１に固定して取り付けられ、固定シート２９は、ダンパーの他端をベース１に固定して取り付ける。調整シート３１は、固定シート２９と固定ヘッド２８との間、及び／又は、固定シート２９と調整ボルト３０との間に設置される。調整ボルト３０は、調整シート３１、固定シート２９を貫通して固定ヘッド２８に螺合され、調整ボルト３０は、固定シート２９と固定ヘッド２８との間の摩擦力を調整することに用いられる。
【００４６】
本実施例では、調整シート３１は、２枚設置され、そのうち、一方の調整シートは、固定シート２９と固定ヘッド２８との間に位置し、他方の調整シートは、固定シート２９と調整ボルト３０との間に位置する。
【００４７】
好ましくは、ベース１の内側壁の収納溝３に近い一側には、取付台が設置され、固定シート２９は、２つの締め付けネジにより取付台に固定して取り付けられる。回動軸１１の他端には、供伸縮ロッド内の線バネが挿通するための線通し孔が設置される。
【００４８】
実施例３
本実施例と実施例１及び実施例２との主な相違点として、図８−１０に示すように、本実施例では、回動軸１１には、差し込み溝４８が設置され、ロック機構４は、ベース１に設置され、且つ差し込み端がベース１に対してスライド可能な差し込みユニット４７であり、差し込みユニット４７は、差し込み溝４８と嵌合してインナースリーブ５を固定し、さらに伸縮ロッドとベース１を相対的に固定することに用いられる。
【００４９】
具体的には、図９−１１に示すように、差し込み溝４８は、回動軸１１に設置され、差し込みユニット４７は、固定ブロック４９、差し込み板５０、押しブロック５１及び弾性部材５２を備える。固定ブロック４９は、トップケースに固定して装着される。差し込み板５０は、ボトムカバーに取り付けられ、且つボトムカバーの回動軸１１に近い一側に位置する。差し込み板５０は、ボトムカバーに対してスライドすることで、差し込み溝４８に対して差し込み又は分離可能である。押しブロック５１は、トップケースを貫通して差し込み板５０に固定して装着され、差し込み板５０を差し込み溝４８に対して分離又は挿着するように駆動する。弾性部材５２は、固定ブロック４９と差し込み板５０との間に設置され、差し込み板５０を復位させるために回復力を提供する。
【００５０】
好ましくは、ボトムカバーの回動軸１１に近い一側には、取付台５３が設置され、差し込み板５０には、長円溝５７が設置され、締め付けネジが長円溝５７を貫通して取付台５３に装着されることによって、差し込み板５０とボトムカバーがスライド可能に装着される。
【００５１】
好ましくは、図９−１１に示すように、固定ブロック４９の差し込み板５０に近い一側には、第１ボス５４が設置され、差し込み板５０の固定ブロック４９に近い一側には、第２ボス５５が設置され、第１ボス５４と第２ボス５５との間には、いずれも円形孔が設置され、弾性部材５２は、一端が第１ボス５４の円形孔に取り付けられ、他端が第２ボス５５の円形孔に固定して取り付けられる。弾性部材５２は、バネである。
【００５２】
好ましくは、ベース１には、取り付けシート５６が設置され、取り付けシート５６の取付台５３に近い一側には、第１取り付け溝２７が設置され、固定ブロック４９は、第１取り付け溝２７に取り付けられる。取り付けシート５６とボトムカバーは、一体成形するように構成されるとともに、取付台５３とボトムカバーは、一体成形するように構成される。
【００５３】
実施例４
本実施例と実施例１及び実施例２との主な相違点として、図７、８に示すように、本実施例では、ロック機構４は、実施例１と実施例２の組み合わせであり、このように設置されたロック機構４は、伸縮ロッドの固定時の安定性を確保できるだけでなく、伸縮ロッドを回動するときの該折り畳み装置の手応え感を改善し、さらにユーザーエクスペリエンスを向上させることができる。
【００５４】
実施例５
本実施例は、折り畳み式扇風機に関し、図１−９に示すように、該折り畳み式扇風機は、折り畳み装置、扇風機本体３３及び反転ロック機構３４を備える。
【００５５】
該折り畳み装置は、実施例１、実施例２、実施例３のうちのいずれかである。扇風機本体３３は、折り畳み装置のベース１から離れた一側に設置される。反転ロック機構３４は、一端が扇風機本体３３に装着され、他端が折り畳み装置のベース１から離れた一側に装着される。扇風機本体３３が使用されるときに、反転ロック機構３４は、扇風機本体３３と折り畳み装置を相対的にロック可能にし、扇風機本体が収納されるときに、反転ロック機構３４は、扇風機本体３３と折り畳み装置を相対的に回動可能にする。
【００５６】
具体的には、扇風機本体３３は、前ガード３５、後ガード３６、モータ３７及び扇風機ブレード３８を備える。前ガード３５と後ガード３６は、結合されると、収容モータ３７及び扇風機ブレード３８を収容するための収容室を形成し、モータ３７は、後ガード３６内に固定して設けられ、且つモータ３７の出力軸には、扇風機ブレード３８が固定して接続される。該扇風機本体３３の部分は、従来技術であり、本発明の保護の重点ではないため、ここで詳細説明をしない。
【００５７】
好ましくは、ベース１には、操作ボタン３９が設置され、ベース１には、操作ボタン３９の端面が操作面として設置され、収納溝３は、操作面に設置される。扇風機本体３３が折りたたまれるとき、伸縮ロック機構４と反転ロック機構３４は、折り畳まれて収納溝３に収容される。
【００５８】
さらに、反転ロック機構３４は、第１の接続ベース４０、第１の雲台ヘッド４１、ヒンジ部材４２及び減衰ゴムリング４３を備える。
【００５９】
第１の接続ベース４０は、扇風機本体３３の背面に固定して取り付けられる。第１の雲台ヘッド４１は、伸縮ロック機構４のベース１から離れた一側に固定して取り付けられ、第１の雲台ヘッド４１は、第１の接続ベース４０に装着される。ヒンジ部材４２は、一端が第１の接続ベース４０に装着され、他端が第１の雲台ヘッド４１に装着され、第１の雲台ヘッド４１と第１の接続ベース４０とを回動可能に装着する。減衰ゴムリング４３は、ヒンジ部材４２と第１の雲台ヘッド４１との間に設置され、反転後の扇風機本体３３をロックする。
【００６０】
具体的には、第１の接続ベース４０には、「匚」型構造のノッチ４４が設置される。ヒンジ部材４２は、２つ設けられ、２つのヒンジ部材４２は、それぞれノッチ４４の対向する内壁面に取り付けられる。第１の雲台ヘッド４１は、一端が環状であり、２つのヒンジ部材４２の間にヒンジ連結され、他端が伸縮ロック機構４に固定して装着される。
【００６１】
減衰ゴムリング４３は、第１の雲台ヘッド４１と２つのヒンジ部材４２とのヒンジ連結部位に設置される。第１の雲台ヘッド４１の上端には、円形貫通孔４５が開けられ、円形貫通孔４５に対向する２つのヒンジ部材４２の側面には、円形カラム４６が設けられ、２つの円形カラム４６は、円形貫通孔４５に１対１で対応する。減衰ゴムリング４３は、円形カラム４６の外壁面と円形貫通孔４５の内壁面との間に介在して締り嵌めされる。即ち、２つの減衰ゴムリング４３は、第１の雲台ヘッド４１が２つのヒンジ部材４２に対して回転するときの径方向摩擦を増大することで、扇風機本体３３が回動後にも回動後の状態を維持できることを確保する。
【００６２】
扇風機本体３３が収納されるとき、扇風機本体３３は、反転ロック機構３４を介して水平に反転して折り畳むことができ、一方、扇風機本体３３を展開して使用するときに、扇風機本体３３は、それに連結された第１の接続ベース４０を介して第１の雲台ヘッド４１上で反転し、且つ減衰ゴムリング４３を介して扇風機本体３３の送風角度を調整し、扇風機本体３３の多角度調整の機能を実現することができる。
【００６３】
上記技術案によれば、扇風機本体３３に反転ロック機構３４が設けられることによって、扇風機本体３３は、反転ロック機構３４を介して反転折り畳み及び多角度調整の機能を実現できる。さらに、この扇風機本体３３に伸縮ロック機構４がさらに接続されるので、伸縮ロック機構４により伸縮ロックの機能を実現できる。本発明は、構造が簡単且つコンパクトであり、扇風機本体３３を反転ロック機構３４及び伸縮ロック機構４を介して折り畳んでベース１に収容することができ、折り畳まれた扇風機の体積が小さくなり、占めるスペースを減少させるとともに、簡単に収納でき、持ち運びやすくなる。
【００６４】
実施例６
本実施例は、新型テーブルランプに関し、図１４−１８に示すように、当該新型テーブルランプは、テーブルランプ本体５８、反転ロック機構３４及び折り畳み装置を備える。
【００６５】
図１４−１８に示すように、テーブルランプ本体５８は、ベース１の一側に設置され、ベース１の一側に折り畳んで収納可能である。反転ロック機構３４は、一端がテーブルランプ本体５８に装着され、他端が伸縮機構２の伸縮端に装着される。テーブルランプ本体５８が使用されるとき、反転ロック機構３４は、伸縮機構２とテーブルランプ本体５８を相対的にロック可能にし、又は、テーブルランプ本体５８が収納されるとき、反転ロック機構３４は、テーブルランプ本体５８と伸縮機構２を回動可能にする。
【００６６】
ただし、折り畳み式テーブルランプが使用されるとき、ベース１の、当該折り畳み式テーブルランプを載置する載置体に近い一側の端面は底面である。折り畳み装置は実施例１、実施例２、実施例３及び実施例４のいずれかに説明した折り畳み装置である。本実施例では、折り畳み装置は実施例１に係る折り畳み装置が使用されている。
【００６７】
具体的には、図１４−１８に示すように、トップケースにはテーブルランプ本体５８の明るさを調整するための調整キーが設けられ、ベース１は、回路基板７６及びモバイル電源７７を更に備える。回路基板７６はボトムカバーに設置され、かつボトムカバーとトップカバーの側壁にはいずれも電源ソケット７８が設置され、当該電源ソケット７８は、回路基板７６での電源ポートを受け入れるためのものである。モバイル電源７７は、トップケース及びボトムカバーを貫通して回路基板７６に電気的に接続され、これにより、当該折り畳み式テーブルランプは電源ソケット７８がオンにされていない場合、テーブルランプ本体５８に給電し、モバイル電源７７はベース１に取り外し可能に取り付けられている。
【００６８】
さらに、図１４−１８に示すように、反転ロック機構４は、第２の接続ベース５９、取り付けベース６０、第２の雲台ヘッド７５  、取り付けチャック６１及び詰め合いブロック６２を備える。
【００６９】
第２の接続ベース５９は、テーブルランプ本体５８の伸縮ロッドに近い一側に設置され、第２の接続ベース５９に取り付けキャビティと取り付けギャップ６３が設置されている。取り付けベース６０は、伸縮ロッドの伸縮端に設置され、伸縮ロッドに固定して装着されている。取り付けベース６０には、伸縮ロッドの軸線方向に沿って、円形孔６４が設置されている。第２の雲台ヘッド７５は、一端が円形孔６４内に差し込まれ、伸縮ロッドに対して減衰回転可能であり、一端が取り付けギャップ６３内に差し込まれ、第２の接続ベース５９に対して回転可能である。取り付けチャック６１は取り付けキャビティ内に設置され、第２の雲台ヘッド７５  に減衰装着されている。詰め合いブロック６２は、取り付けキャビティ内に挿入され、取り付けチャック６１を固定して電線を保護するためのものである。
【００７０】
好ましくは、図１４−１８に示す世に、第２の雲台ヘッド７５  は、円形孔６４内に減衰装着される。円形孔６４内には第１の制限ブロック６５が設置され、第２の雲台ヘッド７５  の、円形孔６４に近い一側には、第１の制限ブロック６５に装着される制限リング６６が設置され、制限リング６６には第１の制限ブロック６５と嵌合するための逃がし溝６７が設置されている。制限リング６６の内側リングには制限ボス７９が突出して設置され、第２の雲台ヘッド７５には、制限ボス７９と嵌合して、第２の雲台ヘッド７５と制限リング６６との制限を実現するための第２の制限ブロック８０が設置されている。取り付けベース６０には、第１の取り付け溝２７に装着されて制限リング６６を円形孔６４内に固定するためのシーリングリング６８が設置されている。第２の雲台ヘッド７５が伸縮ロッドに対して回転するとき、第１の制限ブロック６５と制限リング６６との嵌合、及び第２の制限ブロック８０と制限ボス７９との嵌合により、第２の雲台ヘッド７５  の過度回転を効果的に防止して、伸縮ロッド内に取り付けられたスプリングワイヤを保護することができる。
【００７１】
具体的には、図１４−１８に示すように、第２の雲台ヘッド７５  及び取り付けチャック６１には、いずれも電線を収容するための線通し孔が設置されている。第２の接続ベース５９は、テーブルランプ本体のハウジングと一体に形成され、２つの取り付けチャック６１は設置され、それに対応して、２つの詰め合いブロック６２も設置されている。第２の雲台ヘッド７５  の、第２の接続ベース５９に装着される一端には取り付け孔６９が設置され、取り付けチャック６１の、取り付け孔６９に近い一側には、取り付け孔６９に減衰装着されるための取り付け部７０が設置されている。
【００７２】
好ましくは、、取り付けチャック６１の、詰め合いブロック６２に近い一側にはシュート７１が設置され、詰め合いブロック６２にはシュート７１に装着されるためのスライド７２が設置され、これにより、詰め合いブロック６２の装着が簡単になる。２本のシュート７１が設置され、同様に、２本のスライド７２が対応して設置されている。同時に、電線を詰め合いブロック６２と取り付けチャック６１との間に簡単に収納するために、取り付けチャック６１にはワイヤ溝７３が設置され、当該ワイヤ溝７３は２本のシュート７１の間に位置する。２本のスライド７２の中部位置にはいずれもウェッジ表面を有する階段構造７４が設置され、当該階段構造７４は、詰め合いブロック６２と取り付けチャック６１との間のしっかりな装着を簡単にする。
【００７３】
以上、本発明の技術案は説明されたが、それに限定されるものではなく、当業者によって本発明の技術案についてなされるほかの変更や同等置換は、本発明の技術案の趣旨及び範囲から逸脱しない限り、本発明の特許請求の範囲に含まれる。
【符号の説明】
【００７４】
１、ベース
２、伸縮機構
３、収納溝
４、ロック機構
５、インナースリーブ
６、ロック部材
７、アウタースリーブ
８、雄ネジ
９、収容スペース
１０、取り付けボス
１１、回動軸
１２、減衰ガスケット
１３、制限構造
１４、締め付けリング
１５、ロックリング
１６、開口
１７、第１ロック孔
１８、挿入スロット
１９、第１ロックブロック
２０、第２ロック孔
２１、第２ロックブロック
２２、挿入ブロック
２３、弧状凹溝
２４、弧状突起
２５、取り付け軸孔
２６、チューブ
２７、取り付け溝
２８、固定ヘッド
２９、固定シート
３０、調整ボルト
３１、調整シート
３２、装着室
３３、扇風機本体
３４、反転ロック機構
３５、前ガード
３６、後ガード
３７、モータ
３８、扇風機ブレード
３９、操作ボタン
４０、第１の接続ベース
４１、第１の雲台ヘッド
４２、ヒンジ部材
４３、減衰ゴムリング
４４、ノッチ
４５、円形貫通孔
４６、円形カラム
４７、差し込みユニット
４８、差し込み溝
４９、固定ブロック
５０、差し込み板
５１、押しブロック
５２、弾性部材
５３、取付台
５４、第１ボス
５５、第２ボス
５６、取り付けシート
５７、長円溝
５８、テーブルランプ本体
５９、第２の接続ベース
６０、取り付けベース
６１、取り付けチャック
６２、詰め合いブロック
６３、取り付けギャップ
６４、円形孔
６５、第１の制限ブロック
６６、制限リング
６７、逃がし溝
６８、シーリングリング
６９、取り付け孔
７０、取り付け部
７１、シュート
７２、スライド
７３、ワイヤ溝
７４、階段構造
７５、第２の雲台ヘッド
７６、回路基板
７７、モバイル電源
７８、電源ソケット
７９、制限ボス
８０、第２の制限ブロック
【図１】
2020118296.tif 000003
【図２】
2020118296.tif 000004
【図３】
2020118296.tif 000005
【図４】
2020118296.tif 000006
【図５】
2020118296.tif 000007
【図６】
2020118296.tif 000008
【図７】
2020118296.tif 000009
【図８】
2020118296.tif 000010
【図９】
2020118296.tif 000011
【図１０】
2020118296.tif 000012
【図１１】
2020118296.tif 000013
【図１２】
2020118296.tif 000014
【図１３】
2020118296.tif 000015
【図１４】
2020118296.tif 000016
【図１５】
2020118296.tif 000017
【図１６】
2020118296.tif 000018
【図１７】
2020118296.tif 000019
【図１８】
2020118296.tif 000020